(57)【要約】【課題】秘匿性および利便性を高めることができる認証システムおよび携帯端末用情報格納デバイスを提供する。【解決手段】ユーザーは、アクセスすべき所望のサイトが認証を必要としている場合には、ステップＳ１２において、情報格納デバイスへのアクセスを指示し、ステップＳ１３において、パスワードを入力する。ステップＳ１４において、入力されたパスワードが登録済みの共通パスワードに一致していると判定された場合には、ステップＳ１６へ進み、ユーザは、情報格納デバイス内に登録された複数組の認証情報から所望の１組を選択する。そして、選択された認証情報を用いて、サイトにおいて認証を受ける。【選択図】図１
2007226599.tif 000002
【特許請求の範囲】
【請求項１】
インターネットが利用可能な携帯端末と、
前記携帯端末に接続／離脱可能な携帯端末用情報格納デバイスと
を備え、
前記携帯端末用情報格納デバイスは、
前記携帯端末が所定のインターネットサイトから認証を受けるために必要な認証情報を複数個記憶でき、接続時に前記携帯端末からアクセス可能なメモリ
を有し、
前記メモリは、複数個の前記認証情報を利用するための共通パスワードが設定できる
認証システム。
【請求項２】
請求項１に記載の認証システムであって、
前記認証情報は、ＩＤコードまたはパスワードあるいはこれらの対からなる
認証システム。
【請求項３】
請求項１又は請求項２に記載の認証システムであって、
前記携帯端末に無線回線で接続される
認証システム。
【請求項４】
請求項１乃至請求項３のいずれかに記載の認証システムであって、
前記携帯端末と互いに送受信するデータには暗号化が施される
認証システム。
【請求項５】
請求項１乃至請求項４のいずれかに記載の認証システムであって、
前記携帯端末を電話番号で認証する
認証システム。
【請求項６】
インターネットが利用可能な携帯端末に接続／離脱可能な携帯端末用情報格納デバイスであって、
前記携帯端末が所定のインターネットサイトから認証を受けるために必要な認証情報を複数個記憶でき、接続時に前記携帯端末からアクセス可能なメモリを有し、
前記メモリは、複数個の前記認証情報を利用するための共通パスワードが設定できる
携帯端末用情報格納デバイス。
【発明の詳細な説明】
【技術分野】
【０００１】
本発明は、認証システムおよび携帯端末用情報格納デバイスに関し、特に、携帯端末からインターネットサイトを利用するときの認証における秘匿性および利便性を高めるための技術に関する。
【背景技術】
【０００２】
近年、携帯電話機等の携帯端末を用いてインターネットサイト（以下では単にサイトとも呼ぶ）に接続し商品を購入するモバイルショッピングが行われるようになっている。この場合には、ＩＤコード（ログイン名）およびパスワードを用いて本人性を認証することが必要となる。しかし、ＩＤコードやパスワードの形式はサイト毎に異なることが多いので、複数のサイトにアクセスするためには互いに異なる複数個のパスワードを使い分ける必要が生じる。しかし、ユーザがこれらのＩＤコードおよびパスワードを全て覚えておくことは困難であるという問題点があった。
【０００３】
このような問題点を解決するために、特許文献１には、携帯端末のブックマークに複数のＩＤコード、パスワード、および共通の認証番号を予め登録しておき、接続したいサイトをブックマークから選んで共通の認証番号を入力することで接続を行う携帯端末が開示されている。
【０００４】
また、特許文献２には、携帯端末に接続するための情報格納デバイスであって、携帯端末に接続すると自己認証が行われ特定のサイトへの接続やメールの送受信が可能となるものが開示されている。
【０００５】
【特許文献１】特開２００１−３４４２１０号公報
【特許文献２】特開２００３−１９８６７１号公報
【発明の開示】
【発明が解決しようとする課題】
【０００６】
特許文献１においては、認証情報が携帯端末本体に格納されている。従って、盗難や紛失等により携帯端末が第三者に保有された場合には、番号を何度も入力し直すことにより共通の認証番号を特定できるので、格納されている全ての認証情報が第三者に特定される可能性がある。従って、秘匿性が低くなるという問題点があった。
【０００７】
特許文献２においては、情報格納デバイスに予め記憶された１個のサイトにしかアクセスできないので、複数のサイトにアクセスするためには情報格納デバイスをサイト数だけ用意する必要がある。従って、利便性が低くなるという問題点があった。
【０００８】
本発明はこれらの問題点を解決するためになされたものであり、秘匿性および利便性を高めることができる認証システムおよび携帯端末用情報格納デバイスを提供することを目的とする。
【課題を解決するための手段】
【０００９】
本発明に係る認証システムは、インターネットが利用可能な携帯端末と、携帯端末に接続／離脱可能な携帯端末用情報格納デバイスとを備え、携帯端末用情報格納デバイスは、携帯端末が所定のインターネットサイトから認証を受けるために必要な認証情報を複数個記憶でき、接続時に携帯端末からアクセス可能なメモリを有し、メモリは、複数個の認証情報を利用するための共通パスワードが設定できる。
【発明の効果】
【００１０】
本発明に係る認証システムは、インターネットが利用可能な携帯端末と、携帯端末に接続／離脱可能な携帯端末用情報格納デバイスとを備え、携帯端末用情報格納デバイスは、携帯端末が所定のインターネットサイトから認証を受けるために必要な認証情報を複数個記憶でき、接続時に携帯端末からアクセス可能なメモリを有し、メモリは、複数個の認証情報を利用するための共通パスワードが設定できる。従って、１個の共通パスワードを覚えておくだけで、メモリ内のテーブルに設定された全ての認証情報を利用できる。よって、ユーザが複数個のインターネットサイトを利用する場合においても、全ての認証情報を覚えておく必要をなくすことができる。また、複数個のインターネットサイトにそれぞれ対応する複数個の認証情報を１個の携帯端末用情報格納デバイスに記憶させるので、１個の認証情報を１個の携帯端末用情報格納デバイスに記憶させる特許文献２に比べて、利便性を高めることができる。また、携帯端末から分離可能であるので、盗難や紛失等により携帯端末が第三者に所有された場合においても、この第三者がインターネットサイトにアクセスし認証を受ける可能性を低減することができる。従って、秘匿性を高めることができる。
【発明を実施するための最良の形態】
【００１１】
本発明に係る認証システムにおいては、携帯端末用情報格納デバイスが、携帯端末から分離可能であるとともに、所定のサイト（インターネットサイト）から認証を受けるために必要なＩＤコード（ログイン名）やパスワード等の認証情報をメモリに複数個記憶でき、このメモリ全体に共通する１個のパスワード（以下では、サイト認証用のパスワードと区別するために、共通パスワードと呼ぶ）が設定できることを特徴とする。以下、本発明の実施の携帯について、図面を用いて詳細に説明する。
【００１２】
＜実施の形態１＞
図１は、実施の形態１に係る認証システム１０の機能を示すブロック図である。図１に示されるように、認証システム１０は、情報格納デバイス１をコネクタ３を介して携帯端末４に接続した構成からなる。
【００１３】
情報格納デバイス１は、メモリ２を少なくとも有している。
【００１４】
携帯端末４は、メモリ５とキーボード等の操作部６とベースバンド処理部７とアンテナ８とを少なくとも有している。携帯端末４は、アンテナ８を用いて無線通信を行うことにより、インターネット２０を介して所望のサイトへアクセスすることが可能である。ユーザから携帯端末４への指示等は、操作部６から入力される。また、図示は省略しているが、携帯端末４は、液晶等からなる表示装置やＣＰＵ等を有しており、携帯端末４からユーザへの情報は、この表示装置から出力される。
【００１５】
メモリ２には、携帯端末４から所望のサイトへアクセスするための認証情報を複数個並べてなるテーブルが格納されている。１個の認証情報は、ＩＤコードとパスワードとの対から構成されるものとする。
【００１６】
また、このメモリ２には、格納された上記のテーブルを利用するための１個の共通パスワードが設定されている。
【００１７】
携帯端末４は、コネクタ３を介して情報格納デバイス１に接続されているので、ユーザは、所望のサイトを利用するために認証を受けようとするときには、操作部６から１個の共通パスワードを入力することにより、メモリ２に格納されているテーブルをメモリ５にコピーし一時的に記憶させる。そして、このテーブルに設定された所望のＩＤコードやパスワードを指定することにより、所望のサイトにおける認証を受けサービス（商品購入等）を利用することができる。このとき、メモリ５に一時的に記憶されたＩＤコードやパスワードは、ベースバンド処理７およびアンテナ８を介してインターネット２０（の所望のサイト）へ送信される。
【００１８】
すなわち、本実施の形態においては、ユーザは、１個の共通パスワードを覚えておくだけで、メモリ２内のテーブルに設定された全てのＩＤコードやパスワードを利用できる。これにより、ユーザが複数個のサイトにアクセスする場合においても、全てのＩＤコードやパスワードを覚えておく必要をなくすことができる。
【００１９】
また、本実施の形態においては、複数個の認証情報からなるテーブルを、携帯端末４に保持するのではなく携帯端末４から分離可能な情報格納デバイス１に保持するので、盗難や紛失等により携帯端末４が第三者に所有された場合においても、この第三者がサイトにアクセスし認証を受ける可能性を低減することができる。
【００２０】
次に、図２のフローチャートを参照して、メモリ２内のテーブルを設定する手順について説明する。以下では、メモリ２が例えば５個の記憶用領域を有しており例えばそのうちの第５領域で上記のテーブルの設定（初期設定および追加設定）を行う場合について説明する。
【００２１】
まず、ステップＳ１において、ユーザがメモリ２内のテーブルへのアクセスを指示すると、携帯端末２は、コネクタ３を介して情報格納デバイス１内のメモリ２の設定内容を確認し、メモリ２の初期設定（共通パスワードの登録）が完了しているかどうかを判定する。
【００２２】
メモリ２の初期設定がまだ完了していない場合には、共通パスワードを登録する必要があるので、ステップＳ４へ進み共通パスワードをユーザが入力し登録した後に、ステップＳ６へ進む。
【００２３】
一方、メモリ２の初期設定が既に完了している場合には、ステップＳ２へ進みユーザがパスワードを入力した後に、ステップＳ３へ進み、入力されたパスワードが登録済みの共通パスワードに一致しているかどうかを判定する。一致している場合にはステップＳ６へ進み、一致していない場合にはステップＳ５へ進みアクセスを拒否し処理を終了する。
【００２４】
次に、ステップＳ６において、ユーザは、５個の記憶用領域から所望の領域（ここでは第５領域）を選択する。
【００２５】
次に、ステップＳ７へ進み、ユーザは、テーブルへ登録すべき複数個の認証情報（ＩＤコードやパスワード）を入力する。
【００２６】
次に、ステップＳ８へ進み、携帯端末１は、ユーザに、さらに別の記憶用領域に別の認証情報を登録するかどうかを訊ねる。そして、登録する旨が指示された場合には再びステップＳ６へ進み、登録しない旨が指示された場合には処理を終了する。
【００２７】
以上の工程により、メモリ２の所望の記憶用領域へ認証情報を登録することができる。なお、この認証情報の登録は、メモリ２へ直接に記憶させることにより行われてもよく、あるいは、メモリ５に一時的に記憶させた後にメモリ２へコピーすることにより行われてもよい。
【００２８】
次に、図３のフローチャートを参照して、複数個の認証情報からなるテーブルが格納されたメモリ２を用いて所望のサイトを利用する手順について説明する。
【００２９】
まず、ステップＳ９において、ユーザは、所望のサイトへのアクセスを指示する。これにより、表示部にこのサイトが表示される。
【００３０】
次に、ステップＳ１０において、ユーザは、表示されたサイトにおいて、認証が必要であるかどうかを判定する。認証が必要でない場合にはステップＳ１１へ進み、認証を行うことなくそのままサイトを利用するが、認証が必要である場合にはステップＳ１２へ進む。
【００３１】
次に、ステップＳ１２において、ユーザは、情報格納デバイス１のメモリ２へアクセスし所望の領域（ここでは第５領域）の選択を指示する。
【００３２】
次に、ステップＳ１３へ進み、ユーザは、メモリ２へアクセスするためのパスワードを入力する。
【００３３】
次に、ステップＳ１４へ進み、携帯端末４は、入力されたパスワードが登録済みの共通パスワードに一致しているかどうかを判定する。一致している場合にはステップＳ１６へ進み、一致していない場合にはステップＳ１５へ進みメモリ２へのアクセスを拒否し処理を終了する。
【００３４】
次に、ステップＳ１６において、ユーザは、メモリ２内の第５領域にアクセスし、格納されているテーブルをメモリ５にコピーし一時的に記憶させる。そして、テーブルに登録された複数組の認証情報（ＩＤコードやパスワード）から所望の１組を選択する。
【００３５】
次に、ステップＳ１７において、携帯端末４は、ユーザーに選択された１組の認証情報をサイトへ送信する。
【００３６】
次に、ステップＳ１８において、サイトにおける認証が成功し、アクセスが許可される。
【００３７】
以上の工程により、メモリ２に格納されたテーブルを用いて所望のサイトを利用することができる。
【００３８】
このように、本実施の形態に係る認証システム１０および情報格納デバイス１においては、所望のサイトから認証を受けるために必要なＩＤコードやパスワード等の認証情報がメモリ２に複数組格納され、メモリ２には１個の共通パスワードが設定される。従って、１個の共通パスワードを覚えておくだけで、メモリ２内のテーブルに設定された全てのＩＤコードやパスワードを利用できる。よって、ユーザが複数個のサイトを利用する場合においても、全てのＩＤコードやパスワードを覚えておく必要をなくすことができる。
【００３９】
また、複数個のサイトにそれぞれ対応する複数個の認証情報を１個の情報格納デバイス１に記憶させるので、１個の認証情報のみを１個の情報格納デバイス１に記憶させる特許文献２に比べて、利便性を高めることができる。
【００４０】
また、情報格納デバイス１は、携帯端末４から分離可能であるので、盗難や紛失等により携帯端末４が第三者に所有された場合においても、この第三者がサイトにアクセスし認証を受ける可能性を低減することができる。従って、秘匿性を高めることができる。
【００４１】
なお、上述においては、携帯端末４および情報格納デバイス１をコネクタ３で接続する場合について説明したが、コネクタ３に限らず、例えば無線回線で接続してもよい。また、無線回線で接続する場合には、秘匿性を確保するために、互いに送受信するデータを暗号化してもよい。あるいは、コネクタ３で接続している場合においても、データを暗号化することによりさらに秘匿性を高めることが可能となる。
【００４２】
また、情報格納デバイス１は、携帯端末４の電話番号を参照し予め登録された所定の電話番号と一致した場合にのみメモリ２へのアクセスを許可するようにしてもよい。共通パスワードに加えて、第三者に容易に改変されにくい電話番号を用いて認証を行うことで、さらに秘匿性を高めることが可能となる。
【００４３】
また、上述においては、認証情報がＩＤコードとパスワードとの対からなる場合について説明したが、これに限らず、あるいは、認証情報はＩＤコードまたはパスワードのいずれか一方のみからなってもよい。
【図面の簡単な説明】
【００４４】
【図１】実施の形態１に係る認証システムの機能を示すブロック図である。
【図２】実施の形態１に係る携帯端末用情報格納デバイスのメモリ内のテーブルを設定する手順を示すフローチャートである。
【図３】実施の形態１に係る認証システムを用いて所望のサイトを智用する手順を示すフローチャートである。
【符号の説明】
【００４５】
１  情報格納デバイス、２，５  メモリ、３  コネクタ、４  携帯端末、６  操作部、７  ベースバンド処理部、８  アンテナ、１０  認証システム、２０  インターネット。
【図１】
2007226599.tif 000003
【図２】
2007226599.tif 000004
【図３】
2007226599.tif 000005